【事件の表示】
　商願２００５−１０３０３２拒絶査定不服審判事件について、次のとおり審決する。
【結　論】
　本件審判の請求は、成り立たない。
【理　由】
第１　本願商標  
　本願商標は、「ＤＩＧＩＴＩＺＥＲＰＲＯ」の欧文字を標準文字で表してなり、第９類に属する「電子応用機械器具及びその部品」を指定商品として、平成１７年１１月２日に登録出願されたものである。  
　 
第２　原査定の拒絶理由の要旨  
　原査定は、「本願商標は、『ＤＩＧＩＴＩＺＥＲＰＲＯ』と表してなるところ、本願商標構成中『ＤＩＧＩＴＩＺＥＲ』の語は『アナログデータをデジタルデータに変換する装置』を表す語であり、また、『ＰＲＯ』の語は『プロ仕様』などの意味合いで商品の品質誇称のために広く使用される語であることよりすれば、全体として『プロ仕様のアナログデータをデジタルデータに変換する装置（デジタイザー）』を容易に認識し、これを本願商標の指定商品中、これに照応する商品に使用したときには、単に商品の品質を表したにすぎないものと認める。したがって、本願商標は、商標法第３条第１項第３号に該当し、前記商品以外の商品に使用するときは、商品の品質の誤認を生ずるおそれがあるので、同法第４条第１項第１６号に該当する。」旨認定、判断し、本願を拒絶したものである。  
　 
第３　当審における証拠調べ通知
　当審において、本願商標が商標法第３条第１項第３号及び同法第４条第１項第１６号に該当するか否かについて、職権に基づく証拠調べをした結果、以下の事実を発見したので、商標法第５６条第１項で準用する特許法第１５０条第５項の規定により請求人に通知した。
１．「ＤＩＧＩＴＩＺＥＲ」の語の有する意味として、辞書類によれば以下の記載がある。
（１）「デジタイザー【digitizer】」の項に、「位置情報を読み取って入力するための装置。コンピューターへの図形データの入力、ＮＣ（数値制御）工作機械の加工データの作成に使用。座標入力装置。」との記載がある。（広辞苑　第六版　２００８年１月２２日　株式会社岩波書店発行　１９１９頁）
（２）「ディジタイザ／digitizer」の項に、「『ハード』コンピュータにおける入力装置のひとつ。座標読み取り装置ともいい、広くはアナログ量をデジタル量に変換する装置を意味する。・・・最近では個人向けの３次元ディジタイザ製品も出てきているが、これらは立体物を各方向からスキャンして、３Ｄデータに変換する機能を持つ。」との記載がある。（２００５−’０６年版最新パソコン用語事典　平成１６年１１月１日　株式会社技術評論社発行　７６１頁）
（３）「digitizer／ディジタイザ」の項に、「画像や形状を符号化してディジタルのデータに変換する機器や装置。・・・小型のものをタブレット（tablet）と呼ぶことがある。」との記載がある。（英和コンピュータ用語大辞典第２版　１９９６年７月２２日　日外アソシエーツ株式会社発行　２９４頁）
（４）「ディジタイザ／digitizer」の項に、「ディジタイザは、平面上状のテーブルの上に置かれた図面を、カーソルと呼ばれる座標指示器またはスタイラスペンと呼ばれるペンで図形をなぞることにより、図形データをコンピュータに入力する装置である。・・・ディジタイザは、ＣＡＤやＣＡＭをはじめ、等高線の読取り、服地の型紙の読取りなど、各種の図形情報処理システムの入力装置として使われている。」との記載がある。（エンサイクロペディア電子情報通信ハンドブック　平成１０年１１月３０日　株式会社オーム社発行　１１０６頁）
（５）「デジタイザー【digitizer】」の項に、「１　図形や図面の位置を入力するプレート状の装置。座標入力装置。２　アナログデータをデジタル化するための機器の総称。」との記載がある。（イミダス編集部編　imidas現代人のカタカナ語欧文略語辞典　２００６年４月３０日　株式会社集英社発行　３４５頁）
２．「ＰＲＯ」の語の有する意味として、辞書類によれば以下の記載がある。
　「プロ［PRO］」の項には、「プロフェッショナル、プログラム、プロダクション、プロパガンダ、プロレタリアなどの略。」とあり、「プロフェッショナル［professional］」の項には、「専門家、職業選手、本職、玄人。略してプロ。」との記載がある。（朝日現代用語知恵蔵２００７　２００７年１月１日　朝日新聞社発行　１１４０頁及び１１４１頁）
３．「デジタイザー」の文字が使用されている新聞記事の記載。
（１）「コニカミノルタセンシング、高確度の非接触３次元デジタイザー発売」の見出しの下、「コニカミノルタセンシングは１６日、鋳鍛造、プレス、プラスチック成形パーツなどの３次元形状を高精度に測定できる非接触３次元デジタイザー『レンジセブン』を３月下旬から発売すると発表した。・・・３次元デジタイザーは、実在する部品や模型などの立体物をスキャンして得られる３次元データをコンピューターに取り込む作業を行う装置。」との記載がある。（２００８年１月１７日　化学工業日報　５頁）
（２）「日本ＮＩ、高速デジタイザー発売」の見出しの下、「日本ナショナルインスツルメンツはＰＣＩベースの高速デジタイザー『ＮＩ　ＰＣＩ−５１２４』を発売した。」との記載がある。（２００５年１月２６日　日刊工業新聞　９頁）
（３）「〈新興〉　ウエディングドレス刺繍、ＣＡＤで効率化　ユカアンドアルファ」の見出しの下、「ユカアンドアルファはウエディングドレスの刺繍パターンやビーズパターンを簡単なＣＡＤ（コンピューターによる設計）操作だけで表現し、自動的に出力出来るシステムの発売を開始した。・・・これまでデジタイザーを使って手作業で行っていた柄の縮小・拡大や型紙の穴開け作業が、新システムでは柄のモチーフをスキャナーで取り込み、ＣＡＤで拡大、縮小、反転、修正、組み合わせなどの作業を簡単に行える。」との記載がある。（２００２年１２月２４日　繊研新聞　８面）
（４）「ミノルタ、普及型の非接触３次元形状入力機を発売」の見出しの下、「ミノルタは普及価格を実現した非接触３次元形状入力機（デジタイザー）『ＶＩＶＩＤ３００』を開発、１０月２日に発売する。・・・３次元デジタイザーは人体、模型、石こう細工など実在する立体物の３次元データをコンピューターに取り込む装置で、３Ｄ画像制作で多くの時間を割くモデリングの効率化を可能にする。」との記載がある。（２０００年９月１２日　日刊工業新聞　１０頁）
（５）「ルナ電子エンジ、ハンディ型の低価格デジタイザーを発売。巻いて持ち運びが可能」の見出しの下、「ルナ電子エンジニアリングは、巻いて持ち運びができるフレキシブルな構造で、在宅作業も可能な新しいタイプのハンディ型デジタイザー『ロールアップデジタイザＤａｔａＦｌｅｘ』を発売した。」との記載がある。（１９９９年８月１２日　日刊工業新聞　８頁）
（６）「日本オセ、巻き取り式デジタイザーを発売」の見出しの下、「日本オセは、巻き取り式デジタイザー『ロールアップＩＩ』を発売した。」との記載がある。（１９９９年７月１９日　日刊工業新聞　１９頁）
（７）「武藤工業、インテリジェント・プロッター＆デジタイザーを発売。２機能を融合」の見出しの下、「武藤工業は９日、プロッターの機能と大型図面の座標を読み取るデジタイザー機能を融合したインテリジェント・プロッター＆デジタイザー『ＸＦ−５００ＴＢシリーズ』２機種を１６日から販売すると発表した。ペンプロッターの出力機能とデジタイザーの機能を２本の独立したバーで行うため、高精度の作図・入力作業ができる。」との記載がある。（１９９９年６月１０日　日刊工業新聞　１６頁）
（８）「ユークス、米製非接触型３Ｄデジタイザーを発売」の見出しの下、「ユークスは、米国ロッキードマーチン社の一〇〇％子会社であるリアル３Ｄ社（フロリダ州）が開発した非接触型三次元デジタイザー『ＲｅａｌＳｃａｎ３Ｄ』の国内販売を開始した。レーザーを物体に照射し、その反射光を解析することで三次元の形状データとカラーのマッピングデータを同時に取り込める。」との記載がある。（１９９８年１２月９日　日刊工業新聞　１１頁）
（９）「Ｔｏｏ　パターン作成で新機種、パソコン使い効率化」の見出しの下、「アパレル関連機器専門商社のＴｏｏは、パソコンで簡単に効率よくパターン作成できるパターンメーキングシステム『アパレル・ツールス』を九月に発売する。・・・手やＣＡＤ（コンピューターによる設計）で作成されたパターンなどをデジタイザーで入力し、そのパターンデータをパソコン上で加工したり、パソコンからカッティングプロッタでダイレクトに出力するなど、入力から出力まで対応。」との記載がある。（１９９８年８月２４日　繊研新聞　２面）
（１０）「［特集］デジタル時代を読む１９９８　恵藤洋治・ワコム社長」の見出しの下、
○「デジタイザー事業以外にも積極進出／ペン型の指示装置で平面上をなぞって図形データをコンピューターに入力する装置、デジタイザーでシェア１位のワコムは今年３月、会社設立１５周年を迎えた。デジタイザーは、コンピューターグラフィックス（ＣＧ）ソフトやコンピューター支援設計（ＣＡＤ）で使われる。」との記載がある。（１９９８年４月１４日　東京新聞　１９頁）
（１１）「ワコム、デジタイザーの世界シェアで２年連続１位に」の見出しの下、「【浦和】ワコムがＣＡＤ入力装置のデジタイザー／タブレット販売額で九六年世界シェアの四分の一に当たる七千百八十万ドルを確保、九五年に引き続き一位を獲得したことが明らかになった。」との記載がある。（１９９７年４月２８日　日刊工業新聞　１頁）
（１２）「武藤工業、低価格の大型デジタイザー３機種を発売」の見出しの下、「武藤工業は大型デジタイザー『ＸＬＣシリーズ』の後継機種として、大型サイズで従来機二倍の高精度と、大型機では国内最低価格を実現したプロフェッショナルデジタイザー『ＡＬＣシリーズ』三機種を開発、七日に発売する。」との記載がある。（１９９７年２月７日　日刊工業新聞　１２頁）
（１３）「グラフテック、大型デジタイザーを全面改良。低価格化、精度も向上」の見出しの下、「グラフテックは大型デジタイザーをフルモデルチェンジ、三十日から順次市場投入する。」との記載がある。（１９９６年９月２６日　日刊工業新聞　１５頁）
（１４）「日商エレクトロニクス、米ポヒマス社の三次元デジタイザーを発売」の見出しの下、「日商エレクトロニクスは米国ポヒマス社（バーモント州）の三次元デジタイザー『３ＳＰＡＣＥ３ＤＲＡＷ』を九月一日に発売する。」との記載がある。（１９９４年８月３１日　日刊工業新聞　１５頁）
（１５）「日立精工、デジタイザー部品の海外調達を５割に。ケーブル、ＡＣアダブターなど」の見出しの下、「日立精工は、ＣＡＤシステムの入力機器であるデジタイザーの部品を海外から積極的に調達する。・・・同社はデジタイザーよりサイズの小さいタブレットを含めると三分の一を輸出しているため、高水準の円高に対応してコスト低減を図る。」との記載がある。（１９９４年８月１８日　日刊工業新聞　１２頁）
（１６）「マック用小型ＣＧデジタイザー発売　エヌエス・カルコンプ」の見出しの下、「エヌエス・カルコンプはこのほど、アップルコンピュータのマッキントッシュ用小型ＣＧ（コンピューターグラフィックス）デジタイザー『ドローイングスレート』の販売を開始した。」との記載がある。（１９９４年２月２４日　日本工業新聞　１１頁）
（１７）「ウインドウズ搭載パソコンに対応　ワコムが低価格デジタイザー発売」の見出しの下、「ＣＡＤ／ＣＡＭ（コンピューター支援設計・生産）周辺機器メーカーのワコム）は、ウインドウズ搭載パソコンに対応し、ペン入力も可能なコードレスタイプの低価格デジタイザー『ＵＤ−０６０８Ｒ』を開発、来年一月十日から販売する。」との記載がある。（１９９３年　日本工業新聞　７頁）
４．「デジタイザー」又は「デジタイザ（Ｄｉｇｉｔｉｚｅｒ）」の文字が使用されているインターネット情報。
（１）「タブレットとデジタイザ」の見出しの下、「タブレット（Tablet）とデジタイザ（Digitizer）は、製図版のような平らなボードの上を、ポインティング・デバイスでなぞることで入力する装置です。ポインティング・デバイスとしてスタイラス・ペンやカーソルと呼ばれるものが使用されることが多く、CAD（キャド;Computer Aided Design = コンピュータ支援設計）用のシステムとして多く利用されています。タブレットと、デジタイザとの違いは明確ではありませんが、一般に高精度のものをデジタイザと呼ぶことが多いようです。」との記載がある。（http://www.asahi-net.or.jp/~ax2s-kmtn/hardware/input.html）
（２）「デジタイザ」の見出しの下、「デジタイザとは、データをデジタル化して入力する装置の総称である。」との記載がある。（http://japan.zdnet.com/glossary/exp/デジタイザ/?s=4）
（３）「コクヨ、テキスト変換ソフトが付属したデジタイザー『mimioPersonal』」の見出しの下、「コクヨ株式会社は、紙に書いた文字などをリアルタイムでPCに取り込めるデジタイザー『mimioPersonal (ミミオパーソナル)』を5月6日より発売する。」との記載がある。（http://pc.watch.impress.co.jp/docs/2003/0502/kokuyo.htm）
（４）「Drawing Board ＶＩ」の見出しの下、「Drawing BoardＶＩ、GIS、エンジニアリング、テキスタイルそしてアパレルなど様々なアプリケーションでご利用いただけるプロフェッショナルユースの大型デジタイザーとスモールサイズのグラフィックタブレットです。」との記載がある。（http://www.ocejapan.co.jp/products/scanner-digitizer/digitizer/Drawing_Board6/index.html）
（５）「デジタイザー　型紙入力装置」の見出しの下、「タカオカデジタイザ−は、テキスタイルそしてアパレルなど様々なアプリケーションでご利用いただけます。クラス最高の１１，０００／インチという解像度を持ち、様々なアプリケーションに対応することが可能です。また、ＡＯ、Ａ００サイズのなどを揃え、様々なアプリケーションの要求に答えます。」との記載がある。（http://www.takaoka-technocut.co.jp/Production/Digitizer.html）
５．「ＰＲＯ」又は「Ｐｒｏ」の文字が使用されているインターネット情報。
（１）「Ｅｎｄｅａｖｏｒ ＮＪ５１００Ｐｒｏ」が掲載されており、その説明には、「高性能ビデオチップやＨＤＤ×２基が選択可能なハイエンドノートＰＣ」との見出しの下、「ニーズに合わせた最適構成でＴＣＯ削減に貢献する、インテルＣｅｎｔｒｉｎｏＰｒｏプロセッサー・テクノロジー対応のプロユース向けハイエンドノートＰＣ。」との記載がある。（http://download.intel.com/jp/business/japan/pdf/317068-002JA.pdf）
（２）「アップル、MacBook Proを発表」の見出しの下、「2006年1月11日、アップルは本日、新しいインテル Core Duoプロセッサを搭載し、PowerBook G4と比べ最大4倍の性能を発揮する新しいノートブックコンピュータ、『MacBook Pro（マックブックプロ）』を発表しました。」との記載がある。（http://www.apple.com/jp/news/2006/jan/10macbookpro.html）
（３）「調和した色の組合せを見つけるデジタル・カラーホイールを表示するプラグイン」の見出しの下、「ColorTheory Pro ／カラー　セオリー　プロ・・・Color Theoryプロ版には機能的なイメージローディングが追加されました。作業しながらロゴなどのイメージを表示させたり、インターフェイス内で直接画像を修正することができます。・・・Color Theoryプロ版はスタンダード版同様、スタンドアロンアプリケーションですが、イメージローディングなどの便利な機能などを多数搭載してより進化しています。」との記載がある。（http://www.cvalley.co.jp/ae_plugin/digital_anarchy/colortheory_pro.html）
（４）「米Apple、音楽制作ソフト『Logic Pro 6』を発表」の見出しの下、「Apple Computerは、音楽制作ソフトウエア『Logic Pro 6』と『Logic Express 6』を発表した。プロ向けのLogic Pro 6は、オーディオレコーディング/シーケンサーアプリケーションとして定評のあるLogic Platinum、53種類のオーディオDSPプラグイン、プロ品質のソフトウエア・インストゥルメントなどで構成されている。」との記載がある。
（http://journal.mycom.co.jp/news/2004/01/16/001.html）
（５）「Ｐｒｏｆｅｓｓｉｏｎａｌ Ａｕｄｉｏ Ｓｏｆｔｗａｒｅ Ｓｏｌｕｔｉｏｎｓ／業務用ソフトウエアソリューション」の見出しの下、「SRS Circle Surround TDM ProはSRS Labsが提供する最新のプロ仕様のソフトウエアーです。」との記載がある。（http://www.srslabs.jp/softwear.html）
（６）「プロフェッショナルのニーズに応える『使える・差の付く』グラフィックソフトウエア・ツールをご紹介します。」の見出しの下、「Ｎｉｋ Ｃｏｌｏｒ Ｅｆｅｘ　Ｐｒｏ３．０」、「ＤｘＯ　Ｏｐｔｉｃｓ Ｐｒｏ　ｖ５」、「onOne PhotoFrame Pro 3」及び「PHASE ONE Capture One PRO」との記載がある。（http://www.nationalphoto.co.jp/software/）
　
第４　職権証拠調べに対する請求人の意見の要旨 
　前記、証拠調べ通知に対して、請求人は以下のように意見を述べている。１．本願商標は、「ＤＩＧＩＴＩＺＥＲＰＲＯ」の一連の横書き英文字１２字を、１文字分の間隔も存在せず、同一間隔、同一書体、同じ大きさで外観上、一体不可分に表してなり、これより生ずる「デジタイザープロ」の称呼も、冗長というほどのものではなく、一気に称呼を発することができるものであるから、これを「ＤＩＧＩＴＩＺＥＲ」と「ＰＲＯ」に分断して把握しなければならない格別の理由はない。 
２．本願商標全体としての「ＤＩＧＩＴＩＺＥＲＰＲＯ」は、特に観念を有していないから「ＤＩＧＩＴＩＺＥＲ」と「ＰＲＯ」の２つに分断したとしているが、観念を有していない造語だからといって、観念を生じさせるために適当にいくつかに分断することは誤りである。 
３．仮に、本願商標を分断したとしても、「ＤＩＧＩＴＩＺＥＲ」から生じる称呼及び外観から生ずる観念としては、使用されるようになった初期の「座標読み取り装置」から離れて、今や「デジタル化装置」を含む「概念」であって、即ち、特定の商品に囚われない広い意味を与えられていることは明らかであり、特定の装置に限定して解釈しなければならない客観的根拠はない。 
４．また「ＰＲＯ」についても、先行登録例として「ＰＲＯ」の文字を結合させたものが商標法３条第１項第３号や４条第１項第１６号を適用されることなく、夫々独立して登録されている（甲第１号ないし甲第３６号証）。 
　以上述べたように、本願商標「ＤＩＧＩＴＩＺＥＲＰＲＯ」は、同書・同大・同配色の英文字で構成された一連の商標であり、「ＤＩＧＩＴＩＺＥＲ」と「ＰＲＯ」を２つに切り離して要旨認定すべき対象ではなく、これら甲号証の先行登録例と同様に登録されるべきものである。 
　
第５　当審の判断  
　本願商標は「ＤＩＧＩＴＩＺＥＲＰＲＯ」の文字を標準文字で表してなるところ、全体として親しまれた既成の意味合いを有する成語とはいえず、これを常に一体不可分のものとして把握しなければならない格別な理由は見いだせないものである。
　また、本願商標全体から生ずる「デジタイザープロ」の称呼も長音を含め８音と冗長にわたり、一気一連に称呼されるというよりも、「デジタイザー」と「プロ」とを２音節にくぎって称呼されると判断し得るものである。
　さらに、前記第３の証拠調べのとおり、「ＤＩＧＩＴＩＺＥＲ」（デジタイザ）の文字が「図形データ等を入力する装置」として、「ＰＲＯ」の文字についても、「専門家向けの高機能な商品」を表すものとして一般的に使用されている実態を総合的に勘案すると、「ＤＩＧＩＴＩＺＥＲ」と「ＰＲＯ」を結合した本願商標は、その指定商品との関係においては、「専門家（プロ）向けの高機能なデジタイザー」を容易に認識させるとみるのが相当である。
　したがって、本願商標は、これをその指定商品中「専門家（プロ）向けの高機能なデジタイザー」に使用するときには、単に商品の品質・内容を表示したものにすぎず、商標法第３条第１項第３号に該当し、前記商品以外の商品について使用するときには、商品の品質の誤認を生ずるおそれがあるので同法第４条第１項１６号に該当するといわざるを得ない。
　なお、請求人は、前記第４の意見書において、本願商標は一体不可分の造語を表したものであり、恣意的に「ＤＩＧＩＴＡＩＺＥＲ」の文字と「ＰＲＯ」の文字に分離することは誤りである旨を主張するが、本願商標は、たとえ、一連一体に表されているとしても、その構成中「ＤＩＧＩＴＡＩＺＥＲ」及び「ＰＲＯ」は、各種の事典にも掲載されている語であるばかりでなく、実際に商品の品質等を表すものとして取引上普通に使用されていること前記のとおりであり、本願商標に接する需要者は、容易に前記二つの成語を組み合わせたものと認識するというが相当であるから、請求人の主張は採用できない。 
　また、請求人は、「ＤＩＧＩＴＩＺＥＲ」から生じる称呼及び外観から生ずる観念は、使用されるようになった初期の「座標読み取り装置」から離れて、今や「デジタル化装置」を含む「概念」であって、特定の商品に囚われない広い意味を与えられているのであり、特定の装置に限定して解釈しなければならない客観的根拠はない旨を主張するが、最近改訂された「広辞苑　第六版」（２００８年１月２２日発行）や、「imidas現代人のカタカナ語欧文略語辞典」（２００６年４月３０日発行）には、「デジタイザー（digitizer）」の説明として「座標入力装置」等の記載があり、単に概念を表示するものではないことは前記第３の証拠調べのとおりであるから、請求人の主張は採用できない。
　さらに、請求人は、「ＰＲＯ」、「Ｐｒｏ」及び「ｐｒｏ」の語が結合された他の登録例等を挙げて、本願商標も登録されるべき旨を主張しているが、商標の識別性の判断は、当該商標の査定時又は審決時において、その商標が使用される商品の取引の実情等を考慮し、個別具体的に判断されるべきものである。
　したがって、請求人の挙げた登録例によって、本願商標が前記第３のように使用されている事実が否定されるとはいえないばかりでなく、本願商標が自他商品の識別標識としての機能を果たし得ないことは前記認定のとおりであり、請求人の挙げた登録例の存在によってその認定が左右されるものではないから、この点にかかる請求人の主張は採用できない。
　よって、結論のとおり審決する。